【手続補正書】
【提出日】平成22年10月6日(2010.10.6)
【手続補正１】
【補正対象書類名】特許請求の範囲
【補正対象項目名】全文
【補正方法】変更
【補正の内容】
【特許請求の範囲】
【請求項１】
画線部提供層を転写フィルム(５)から転写することを含んで行われる、印刷枚葉紙において印刷画線部を生成するための方法であって、
枚葉紙印刷機内部に設けられているモジュール型フィルム転写装置において、少なくとも塗布装置(１)を用いて、前記印刷枚葉紙に接着剤で画線部に応じたコーティングが行われ、その後モジュール型コーティング装置(２)を用いて、前記画線部提供層の少なくとも部分を前記転写フィルム(５)から転写しながら、前記印刷枚葉紙にフィルム画線部の塗布が行われる方法において、
前記枚葉紙印刷機に、表面がエンボス加工による効果を有さない被印刷材料から成る印刷枚葉紙が供給され、
前記印刷枚葉紙は変化された表面構造を準備するため、または当該変化された表面構造を直接的に生成するための作用ステップに供され、
前記接着剤は前記枚葉紙の変化された表面に塗布され、
前記フィルム画線部は前処理された前記枚葉紙に塗布され、
構造加工のために準備されるとともに場合によってはフィルムコーティングされた前記印刷枚葉紙は後処理され、
前記フィルム画線部の塗布の前に、浮き出し部の形成を生じさせるために前記印刷枚葉紙の前処理が行われ、前記フィルム画線部は前記前処理された枚葉紙に塗布され、前記浮き出し部を形成するために前処理されるとともにフィルムコーティングされた前記印刷枚葉紙は後処理され、前記印刷枚葉紙はその後、印刷インキによる単色または多色の印刷画線部を備えるとともに少なくとも部分的に前記フィルム画線部の画線部領域を含んで印刷されることを特徴とする方法。
【請求項２】
前記フィルム画線部の塗布の前に、前記モジュール型フィルム転写装置に対して前置された一つまたは複数のモジュール型ニス引き装置において、前記印刷枚葉紙に単層または多層の平坦なベースコーティングが行われることを特徴とする請求項１に記載の方法。
【請求項３】
前記印刷枚葉紙の前記単層または多層のベースコーティングのために媒体が用いられ、当該媒体の接着力は前記接着剤に対して調整されるか、または前記接着剤によって向上させられることを特徴とする請求項２に記載の方法。
【請求項４】
前記準備のための前記作用ステップは、回転式のエンボス加工法において機械的な作用によって行われる前処理を含み、前記前処理はモジュール型ニス引き装置(Ｌ)または印刷装置(Ｄ)において空押しによって行われ、あるいは、
モジュール型カレンダ加工装置においてカレンダ加工によって行われ、あるいは、
モジュール型ニス引き装置(Ｌ)または印刷装置(Ｄ)において溝付け加工によって行われ、あるいは、
前記印刷機に対して前置されたロール紙・枚葉紙兼用給紙装置に設けられたエンボス加工装置において機械的な変形によって行われることを特徴とする請求項１から請求項３のいずれか一項に記載の方法。
【請求項５】
前記前処理は所望の前記エンボス構造に対応する、膨張可能な印刷インキから成るような、容積を変更可能な媒体から成る画線部を塗布することによって行われ、
前記構造形成画線部はオフセット印刷またはフレキソ印刷またはグラビア印刷またはスクリーン印刷で印刷され、
前記構造形成画線部は感熱浮き出し印刷法で印刷され、あるいは、
前記構造形成画線部は起泡可能なフロック素材を用いたフロックコーティングを貼付することによって生成されることを特徴とする請求項１から請求項３のいずれか一項に記載の方法。
【請求項６】
前記被印刷材料の前記構造加工部を形成するために、前記予備コーティングは熱処理または光線の作用を受け、前記被印刷材料の前記構造加工部の形成は前記フィルム転写の前および／または後に行われることを特徴とする請求項５に記載の方法。
【請求項７】
フィルム画線部を担持するとともに構造加工された前記印刷枚葉紙に印刷を行うために単色または多色の印刷画線部が塗布され、その後、前記印刷枚葉紙に単層または多層のコーティングを設けるために全面または一部の面にニスが塗布されることを特徴とする請求項１から請求項６のいずれか一項に記載の方法。
【請求項８】
前記フィルム画線部の転写の後および／または印刷インキの塗布の後および／または前記単層または多層のコーティングの塗布の後に、乾燥が行われることを特徴とする請求項１から請求項７のいずれか一項に記載の方法。
【請求項９】
画線部提供層を転写フィルム(５)から印刷枚葉紙に転写するためのモジュール型フィルム転写装置によって請求項１に記載の方法を実施するための装置であって、
少なくとも印刷枚葉紙に接着剤で画線部に応じたコーティングを設けるための塗布装置(１)と、
圧胴(４)とプレスローラ(３)との間の転写間隙(６)において、前記画線部提供層を前記担体フィルムから前記印刷枚葉紙に転写するためのモジュール型コーティング装置(２)と、を有し、
前記担体フィルムはコーティングされた側が前記印刷枚葉紙に当接された状態で、前記印刷枚葉紙とともに前記転写間隙(６)を通過して搬送可能であり、このとき前記画線部提供層が画線部に応じて前記印刷枚葉紙に転写可能である装置において、
枚葉紙印刷機において前記モジュール型フィルム転写装置に対して、表面構造加工部を生成するために被印刷材料の前処理を行うためのユニットが前置されており、それによって前記塗布装置(１)が前記接着剤による画線部を、前記モジュール型コーティング装置(２)が前記フィルム画線部を、前処理された前記被印刷材料に塗布するようになっていることを特徴とする装置。
【請求項１０】
前記モジュール型フィルム転写装置の前に、前記被印刷材料にエンボス加工部または構造加工部を機械的に生成させるためのモジュール型ニス引き装置(Ｌ)または印刷装置(Ｄ)またはモジュール型前処理装置(Ｐ)が設けられていることを特徴とする請求項９に記載の装置。
【請求項１１】
前記モジュール型フィルム転写装置の前に、前記被印刷材料に容積を変更可能な媒体から成る構造形成画線部を生成させるためのモジュール型ニス引き装置(Ｌ)または印刷装置(Ｄ)が設けられており、
前記モジュール型フィルム転写装置の前または後に、前記被印刷材料の表面上もしくは当該表面内に前記構造加工部を形成するための後処理ユニットが設けられており、
前記後処理ユニットは発熱器、乾燥器、または放熱器を含むことを特徴とする請求項９に記載の装置。
【請求項１２】
前記枚葉紙を加工する機械は、色刷りによる刻印を生成するための複数の印刷装置(Ｄ)を備える印刷機であり、前記モジュール型フィルム転写装置は前記印刷装置(Ｄ)の前、前記印刷装置の間、または前記印刷装置の後に設けられていることを特徴とする請求項９から請求項１１のいずれか一項に記載の装置。
【請求項１３】
前記モジュール型フィルム転写装置の前および／または後および／または前記印刷装置(Ｄ)の後および／または前記モジュール型ニス引き装置(Ｌ)の後に乾燥器が設けられていることを特徴とする請求項９から請求項１２のいずれか一項に記載の装置。
【請求項１４】
印刷枚葉紙を前記印刷機に供給するためにロール紙・枚葉紙兼用給紙装置が備えられており、当該ロール紙・枚葉紙兼用給紙装置はフィルム状被印刷材料および／または再生された被印刷材料および／または紙および／または厚紙を処理するために装備されており、前記ロール紙・枚葉紙兼用給紙装置と組み合わせて、表面構造を生成するために前記被印刷材料に前処理を行うための装置が設けられていることを特徴とする請求項９から１３のいずれか一項に記載の装置。